(57)【要約】      （修正有）【課題】側溝の路面露出面積を小さくして歩行者が歩き易く景観の向上を図ることが出来る側溝を提供する。【解決手段】底壁１ａ、側壁１ｂ及び頂壁１ｃからなる断面方形状の側溝ブロック１の該頂壁１ｃに一方の側壁１ｂ側に寄せた開口部１ｃ１が設けられ、該開口部１ｃ１に対応して蓋受部材２が頂壁１ｃ上に載置して設けられ、該蓋受部材２により排水蓋が一方の側壁１ｂ側に寄せて支持された構成としたことを特徴とする。【選択図】図１
0003149324.tif 000002
【実用新案登録請求の範囲】
【請求項１】
底壁、側壁及び頂壁からなる断面方形状の側溝ブロックの該頂壁に一方の側壁側に寄せた開口部が設けられ、
前記開口部に対応して蓋受部材が前記頂壁上に載置して設けられ、
前記蓋受部材により排水蓋が前記一方の側壁側に寄せて支持されたことを特徴とする側溝。
【請求項２】
前記蓋受部材が斜壁ダクトにより構成され、該蓋受部材により排水蓋が前記一方の側壁側に寄せて支持されたことを特徴とする請求項１に記載の側溝。
【請求項３】
前記側溝ブロックの頂壁に設けられた開口部は、該側溝ブロックの長手方向に沿って所定ピッチで複数設けられたことを特徴とする請求項１に記載の側溝。
【請求項４】
前記側溝ブロックの底壁内面に、排水勾配を形成するための現場打ちコンクリート付着用の凸部を設けたことを特徴とする請求項１に記載の側溝。
【請求項５】
前記側溝ブロックは底壁側と頂壁側とが側壁部において着脱可能に２分割されたことを特徴とする請求項１に記載の側溝。
【考案の詳細な説明】
【技術分野】
【０００１】
本考案は、道路上の雨水を排水する目的で道路両端に施工される側溝に関するものである。
【背景技術】
【０００２】
従来、特開２０００−３５２１０６号公報（特許文献１）に記載されたように、側溝頂版部の片側部に集水開口部を設けた円形側溝が提案されている。
【０００３】
【特許文献１】特開２０００−３５２１０６号公報
【考案の開示】
【考案が解決しようとする課題】
【０００４】
しかしながら、前述の特許文献１の技術では、側溝頂版部の上面と排水蓋との上面とが面一に構成されるため側溝の路面露出面積が大きくなり、歩行者の歩き難さや景観の低下を招くといった問題があった。
【０００５】
本考案は前記課題を解決するものであり、その目的とするところは、側溝の路面露出面積を小さくして歩行者が歩き易く景観の向上を図ることが出来る側溝を提供せんとするものである。
【課題を解決するための手段】
【０００６】
前記目的を達成するための本考案に係る側溝の第１の構成は、底壁、側壁及び頂壁からなる断面方形状の側溝ブロックの該頂壁に一方の側壁側に寄せた開口部が設けられ、前記開口部に対応して蓋受部材が前記頂壁上に載置して設けられ、前記蓋受部材により排水蓋が前記一方の側壁側に寄せて支持されたことを特徴とする。
【０００７】
また、本考案に係る側溝の第２の構成は、前記第１の構成において、前記蓋受部材が斜壁ダクトにより構成され、該蓋受部材により排水蓋が前記一方の側壁側に寄せて支持されたことを特徴とする。
【０００８】
また、本考案に係る側溝の第３の構成は、前記第１の構成において、前記側溝ブロックの頂壁に設けられた開口部は、該側溝ブロックの長手方向に沿って所定ピッチで複数設けられたことを特徴とする。
【０００９】
また、本考案に係る側溝の第４の構成は、前記第１の構成において、前記側溝ブロックの底壁内面に、排水勾配を形成するための現場打ちコンクリート付着用の凸部を設けたことを特徴とする。
【００１０】
また、本考案に係る側溝の第５の構成は、前記第１の構成において、前記側溝ブロックは底壁側と頂壁側とが側壁部において着脱可能に２分割されたことを特徴とする。
【考案の効果】
【００１１】
本考案に係る側溝の第１の構成によれば、側溝ブロックの頂壁に設けられる開口部が片側に寄せられ、更に蓋受部材により排水蓋を更に片側に寄せることで排水蓋を敷地境界側に寄せることが出来、側溝ブロック及び斜壁ダクトを地盤に埋設することにより排水蓋のみを路面に露出させて側溝の路面露出面積を小さくすることが出来、歩行者が歩き易く景観の向上を図ることが出来る。
【００１２】
本考案に係る側溝の第２の構成によれば、側溝ブロックの頂壁に設けられる開口部が片側に寄せられ、更に斜壁ダクトからなる蓋受部材により排水蓋を更に片側に寄せることで排水蓋を敷地境界側に寄せることが出来、側溝ブロック及び斜壁ダクトを地盤に埋設することにより排水蓋のみを路面に露出させて側溝の路面露出面積を小さくすることが出来、歩行者が歩き易く景観の向上を図ることが出来る。
【００１３】
また、本考案に係る側溝の第３の構成によれば、側溝ブロックの頂壁に該側溝ブロックの長手方向に沿って所定ピッチで開口部を設けたことで、該開口部を介して該側溝ブロックの長手方向に沿って側溝内の清掃が出来る。
【００１４】
また、本考案に係る側溝の第４の構成によれば、側溝ブロックの底壁内面に、排水勾配を形成するための現場打ちコンクリート付着用の凸部を設けたことで、側溝ブロックの底壁内面に現場打ちコンクリートを打設して排水勾配を形成した際に硬化した現場打ちコンクリートが凸部に固定されて確実に固着することが出来る。
【００１５】
また、本考案に係る側溝の第５の構成によれば、側溝ブロックが側壁部において底壁側と頂壁側とに着脱可能に２分割されたことで、頂壁側を脱離した状態で側溝ブロックの底壁内面に排水勾配を形成するための現場打ちコンクリートを容易に打設することが出来、硬化後に頂壁側を底壁側に載置して装着することで断面方形状の側溝ブロックとすることが出来る。
【考案を実施するための最良の形態】
【００１６】
図により本考案に係る側溝の一実施形態を具体的に説明する。図１は本考案に係る側溝の構成を示す断面説明図、図２は側溝ブロックの構成を示す三面図、図３は側溝ブロックの下部構造を示す三面図、図４は側溝ブロックの上部構造を示す三面図、図５は蓋受部材の構成を示す図、図６は蓋受部材に排水蓋を取り付けた様子を示す断面説明図である。
【００１７】
図１〜図６において、１は底壁１ａ、側壁１ｂ及び頂壁１ｃからなる断面方形状の側溝ブロックであり、本実施形態では、底壁１ａ側と頂壁１ｃ側とが側壁１ｂ部において着脱可能に２分割された上下ブロックＡ，Ｂにより構成されている。各上下ブロックＡ，Ｂは上ブロックＡの側壁１ｂ端部に設けられた凸部1b1と、下ブロックＢの側壁１ｂ端部に設けられた凹部1b2とが嵌合して結合されている。
【００１８】
上ブロックＡの頂壁１ｃには敷地境界側（図１の右側）に配置される一方の側壁１ｂ側に寄せた開口部1c1が所定ピッチで設けられている。側溝ブロック１の頂壁１ｃに設けられた開口部1c1は、該側溝ブロック１の長手方向（図４の左右方向）に沿って所定ピッチで複数設けられる。そして、前記開口部1c1に対応して、図５に示す斜壁ダクトからなる蓋受部材２が上ブロックＡの頂壁１ｃ上に載置して設けられる。
【００１９】
蓋受部材２は、図５及び図６に示すように、断面Ｌ字形状の直壁片２ａと、２箇所で所定の角度で折曲された斜壁片２ｂと、一辺が直壁片２ａの水平片2a1に接合され、他辺が敷地境界側に配置される一方の側壁１ｂの内面側に当接される断面Ｌ字形状のアングル片２ｃと、直壁片２ａと斜壁片２ｂとを接続する側壁片２ｄとを有して構成され、これにより斜壁ダクトが形成される。
【００２０】
蓋受部材２の側壁片２ｄには貫通孔2d1が設けられており、図５（ｃ）に示すように、長手方向に隣設される蓋受部材２の互いの側壁片２ｄを当接すると共に両方の貫通孔2d1にボルト４を挿入してナット６を螺合締結することで、複数の蓋受部材２を長手方向に連結することが出来る。
【００２１】
そして、図６に示すように、蓋受部材２のアングル片２ｃの垂下片2c1を開口部1c1内に挿入すると共に、斜壁片２ｂの水平片2b1を頂壁１ｃ上に載置して該水平片2b1側から水平片2b1に設けられた貫通孔３にボルト４を挿通して頂壁１ｃ内に埋設されたアンカーナット５に螺合締結して蓋受部材２を頂壁１ｃ上に固定することが出来る。
【００２２】
側溝ブロック１の底壁１ａ内面には、図１及び図３に示すように、排水勾配を形成するための現場打ちコンクリート10付着用の凸部1a1が設けられている。
【００２３】
図６に示すように、蓋受部材２の直壁片２ａ及び斜壁片２ｂの内面側にはその長手方向に長尺状の突起部２ｅが設けられており、雨水等の排水口７ａが設けられた長尺状の排水蓋７が直壁片２ａと斜壁片２ｂとの間に挿入され、その下端部７ｂが突起部２ｅ上に載置されて支持され、排水蓋７に回転自在に支持されたボルト部材８が挿通された固定金物９を突起部２ｅの下面に当接してナット６を螺合締結することにより排水蓋７が蓋受部材２に固定される。
【００２４】
このような構成により、側溝ブロック１の幅よりも小さな幅を有して構成される排水蓋７を蓋受部材２により敷地境界側（図１の右側）に配置される一方の側壁１ｂ側に寄せて支持することができる。
【００２５】
即ち、側溝ブロック１の頂壁１ｃに設けられる開口部1c1が片側に寄せられ、更に斜壁ダクトからなる蓋受部材２により排水蓋７を更に片側に寄せることで排水蓋７を敷地境界側（図１の右側）に寄せることが出来、側溝ブロック１及び斜壁ダクトを地盤９に埋設することにより排水蓋７のみを路面９ａに露出させて側溝の路面露出面積を小さくすることが出来、歩行者が歩き易く景観の向上を図ることが出来る。
【００２６】
尚、本実施形態では、蓋受部材２を斜壁ダクトにより構成した一例について説明したが、側溝ブロック１の幅よりも小さな幅を有して構成される排水蓋７を敷地境界側に配置される一方の側壁１ｂ側に寄せて支持することができる蓋受部材２の構成であればこれに限定される必要はなく、例えば斜壁片２ｂの代わりに断面Ｌ字形状の壁面により構成することも可能である。
【００２７】
また、側溝ブロック１の頂壁１ｃに該側溝ブロック１の長手方向に沿って所定ピッチで開口部1c1を設けたことで、該開口部1c1を介して該側溝ブロック１の長手方向に沿って側溝内の清掃が出来る。
【００２８】
また、側溝ブロック１の底壁１ａ内面に、排水勾配を形成するための現場打ちコンクリート10付着用の凸部を設けたことで、側溝ブロック１の底壁１ａ内面に現場打ちコンクリートを打設して排水勾配を形成した際に硬化した現場打ちコンクリート10が凸部1a1に固定されて確実に固着することが出来る。
【００２９】
また、側溝ブロック１が側壁１ｂ部において底壁１ａ側と頂壁１ｃ側とに着脱可能に２分割されたことで、頂壁１ｃ側を脱離した状態で側溝ブロック１の底壁１ａ内面に排水勾配を形成するための現場打ちコンクリート10を容易に打設することが出来、硬化後に頂壁１ｃ側を底壁１ａ側に載置して装着することで断面方形状の側溝ブロック１とすることが出来る。
【産業上の利用可能性】
【００３０】
本考案の活用例として、道路上の雨水を排水する目的で道路両端に施工される側溝に適用出来る。
【図面の簡単な説明】
【００３１】
【図１】本考案に係る側溝の構成を示す断面説明図である。
【図２】側溝ブロックの構成を示す三面図である。
【図３】側溝ブロックの下部構造を示す三面図である。
【図４】側溝ブロックの上部構造を示す三面図である。
【図５】蓋受部材の構成を示す図である。
【図６】蓋受部材に排水蓋を取り付けた様子を示す断面説明図である。
【符号の説明】
【００３２】
Ａ，Ｂ…上下ブロック
１…側溝ブロック
１ａ…底壁
1a1…凸部
１ｂ…側壁
1b1…凸部
1b2…凹部
１ｃ…頂壁
1c1…開口部
２…蓋受部材
２ａ…直壁片
2a1…水平片
２ｂ…斜壁片
2b1…水平片
２ｃ…アングル片
2c1…垂下片
２ｄ…側壁片
2d1…貫通孔
２ｅ…突起部
３…貫通孔
４…ボルト
５…アンカーナット
６…ナット
７…排水蓋
７ａ…排水口
８…ボルト部材
９…地盤
９ａ…路面
10…現場打ちコンクリート
【図１】
0003149324.tif 000003
【図２】
0003149324.tif 000004
【図３】
0003149324.tif 000005
【図４】
0003149324.tif 000006
【図５】
0003149324.tif 000007
【図６】
0003149324.tif 000008